(57)【要約】【課題】キーの格納時には，キーの操作部材以外，ケース外面からの突出部を排除することができ，しかも，枢軸を必要とせず組立性が良好なケース付きキーを提供する。【解決手段】キー３の使用位置Ｂでケース２のロック孔２２に係合するロック位置Ｃ及び，ロック孔２２から離脱する退去位置Ｄ間を移動し得るようキー３に設けられるロックピストン１９と，これをロック位置Ｃ側に付勢するロックばね２０とでロック手段を構成し，またロック孔２２に摺動可能に嵌合されて，ロックピストン１９のロック孔２２への係合を許容するロック許容位置Ｆ及び，ロックピストン１９をロック孔２２外へ押し出すロック解除位置Ｅ間を移動操作されるレリーズボタン２３と，これををロック解除位置Ｅ側に付勢するセット荷重が小さい補助ばね２４とでロック解除手段を構成し，レリーズボタン２３は，ロック解除位置Ｅを占めるとき，ケース２外面と面一となる。【選択図】図５
2010196372.tif 000002
【特許請求の範囲】
【請求項１】
ケース（２）と，このケース（２）に支持されて，それに格納される格納位置（Ａ）及び，先端部をケース（２）外に突出する使用位置（Ｂ）間を摺動し得るキー（３）と，ケース（２）内でキー（３）を格納位置（Ａ）方向に付勢する戻しばね（１６）と，キー（３）が使用位置（Ｂ）に来たとき，自動的に作動してその使用位置（Ｂ）にキー（３）を係止するロック手段と，このロック手段の作動を解除し得るロック解除手段とを備え，キー（３）には，これを戻しばね（１６）の付勢力に抗して使用位置（Ｂ）に操作し得る操作部材（１０）を付設してなるケース付きキーにおいて，
ケース（２）に設けられるロック孔（２２）と，キー（３）に摺動可能に設けられて，キー（３）の使用位置（Ｂ）で前記ロック孔（２２）に係合するロック位置（Ｃ）及び，前記ロック孔（２２）から離脱する退去位置（Ｄ）間を移動し得るロックピストン（１９）と，このロックピストン（１９）を前記ロック位置（Ｃ）方向に付勢するロックばね（２０）とで前記ロック手段を構成し，また前記ロック孔（２２）に摺動可能に嵌合されて，前記ロックピストン（１９）の前記ロック孔（２２）への係合を許容するロック許容位置（Ｆ）及び，前記ロックピストン（１９）を前記ロック孔（２２）外へ押し出すロック解除位置（Ｅ）間を移動操作されるレリーズボタン（２３）と，このレリーズボタン（２３）を前記ロック解除位置（Ｅ）側に付勢する，セット荷重が前記ロックばね（２０）より小さい補助ばね（２４）とで前記ロック解除手段を構成し，前記レリーズボタン（２３）を，これが前記ロック解除位置（Ｅ）を占めるときはケース（２）外面と面一もしくはその外面下に沈む状態となり，前記ロック許容位置（Ｆ）を占めるときはケース（２）外面より突出するように構成したことを特徴とするケース付きキー。
【請求項２】
請求項１記載のケース付きキーにおいて，
前記操作部材（１０）に，前記キー（３）の一側面より突出する指掛け部（１０ｃ）を形成する一方，この指掛け部（１０ｃ）の移動を案内する案内スロット（１３）をケース（２）の一側壁に形成し，前記操作部材（１０）に，その内端に開口する支持孔（１８）を設け，この支持孔（１８）に，前記ロックピストン（１９）を摺動自在に嵌合すると共に前記ロックばね（２０）を収容したことを特徴とするケース付きキー。
【請求項３】
請求項１又は２記載のケース付きキーにおいて，
前記レリーズボタン（２３）及び前記ロックピストン（１９）の対向面の少なくとも一方に，キー（３）が格納位置（Ａ）から使用位置（Ｂ）へと移行するとき，前記ロックピストン（１９）の前記レリーズボタン（２３）上への乗り上げを誘導する斜面（２５）を形成したことを特徴とするケース付きキー。
【発明の詳細な説明】
【技術分野】
【０００１】
本発明は，ケースと，このケースに支持されて，それに格納される格納位置及び，先端部をケース外に突出する使用位置間を摺動し得るキーと，ケース内でキーを格納位置方向に付勢する戻しばねと，キーが使用位置に来たとき，自動的に作動してその使用位置にキーを係止するロック手段と，このロック手段の作動を解除し得るロック解除手段とを備え，キーには，これを戻しばねの付勢力に抗して使用位置に操作し得る操作部材を付設してなるケース付きキーの改良に関する。
【背景技術】
【０００２】
かゝるケース付きキーは，下記特許文献１に開示されるように，既に知られている。
【特許文献１】実公昭５４−４６６９３号公報
【発明の開示】
【発明が解決しようとする課題】
【０００３】
上記特許文献１記載のケース付きキーでは，ロック手段及びロック解除手段として，キーを使用位置に係止するロック爪を一端に形成し，他端にそのロック爪の作動を解除する押圧部を形成したシーソー型のレバーがケースに軸支され，このレバーは，ロック爪の作動方向にばね付勢されている。こうしたものでは，シーソー型レバーの一部が，キーの格納，使用位置に拘らず，常にケース外面に突出しており，使用者が着衣のポケット等に収めるとき，その突出部が邪魔になる欠点がある。また，シーソー型のレバーのケースへの支持にはピン等の枢軸が必要であるので，組立性が良好とは言えない。
【０００４】
本発明は，かゝる事情に鑑みてなされたもので，キーの格納時には，キーの引出し用の操作部材以外，ケース外面からの突出部を排除することができ，しかも，枢軸を必要とせず組立性が良好なケース付きキーを提供することを目的とする。
【課題を解決するための手段】
【０００５】
上記目的を達成するために，本発明は，ケースと，このケースに支持されて，それに格納される格納位置及び，先端部をケース外に突出する使用位置間を摺動し得るキーと，ケース内でキーを格納位置方向に付勢する戻しばねと，キーが使用位置に来たとき，自動的に作動してその使用位置にキーを係止するロック手段と，このロック手段の作動を解除し得るロック解除手段とを備え，キーには，これを戻しばねの付勢力に抗して使用位置に操作し得る操作部材を付設してなるケース付きキーにおいて，ケースに設けられるロック孔と，キーに摺動可能に設けられて，キーの使用位置で前記ロック孔に係合するロック位置及び，前記ロック孔から離脱する退去位置間を移動し得るロックピストンと，このロックピストンを前記ロック位置方向に付勢するロックばねとで前記ロック手段を構成し，また前記ロック孔に摺動可能に嵌合されて，前記ロックピストンの前記ロック孔への係合を許容するロック許容位置及び，前記ロックピストンを前記ロック孔外へ押し出すロック解除位置間を移動操作されるレリーズボタンと，このレリーズボタンを前記ロック解除位置側に付勢する，セット荷重が前記ロックばねより小さい補助ばねとで前記ロック解除手段を構成し，前記レリーズボタンを，これが前記ロック解除位置を占めるときはケース外面と面一もしくはその外面下に沈む状態となり，前記ロック許容位置を占めるときはケース外面より突出するように構成したことを第１の特徴とする。
【０００６】
また，本発明は，第１の特徴に加えて，前記操作部材に，前記キーの一側面より突出する指掛け部を形成する一方，この指掛け部の移動を案内する案内スロットをケースの一側壁に形成し，前記操作部材に，その内端に開口する支持孔を設け，この支持孔に，前記ロックピストンを摺動自在に嵌合すると共に前記ロックばねを収容したことを第２の特徴とする。
【０００７】
さらに，本発明は，第１又は第２の特徴に加えて，前記レリーズボタン及び前記ロックピストンの対向面の少なくとも一方に，キーが格納位置から使用位置へと移行するとき，前記ロックピストンの前記レリーズボタン上への乗り上げを誘導する斜面を形成したことを第３の特徴とする。
【発明の効果】
【０００８】
本発明の第１の特徴によれば，キーの格納位置では，レリーズボタンは，補助ばねの付勢力により，ケースの外面と面一もしくはその外面下に沈む状態となるので，レリーズボタンは，ケースからの突出部とはならず，使用者はこのケース付きキーを着衣のポケット等にスムーズに収めることができ，その取り扱いが容易となる。またキーの使用位置では，レリーズボタンは，ケース外面から突出した状態となるので，その突出部を押圧することにより，ロックピストンのキーに対する係止状態を容易に解除して，キーを格納位置に移行させることができる。しかも，ロックピストンは，キー側に単に嵌合するのみで，その組み付けが完了するので，枢軸の使用は不要であり，組立性が良好である。
【０００９】
本発明の第２の特徴によれば，ロックピストンを摺動自在に支持する支持孔は，操作部材に形成されるので，操作部材がロックピストンの支持部材を兼ねることになり，構造の簡素化を図ることができる。
【００１０】
本発明の第３の特徴によれば，キーを格納位置から使用位置への移行させるとき，レリーズボタン及びロックピストンの対向面の少なくとも一方に形成した斜面の誘導作用により，ロックピストンは，レリーズボタンの側面に衝突することなく，スムーズにレリーズボタン上に乗り上げ，レリーズボタンをロック許容位置へ確実に押し込むことができる。
【図面の簡単な説明】
【００１１】
【図１】本発明の実施例に係るケース付きキーの，蓋体開放状態での斜視図図。
【図２】同ケース付きキーの分解斜視図。
【図３】キーの格納状態で示す同ケース付きキーの縦断側面図。
【図４】キーの使用状態で示す同ケース付きキーの縦断側面図。
【図５】図４の５部拡大図。
【発明を実施するための最良の形態】
【００１２】
本発明の実施の形態を，添付図面に示す本発明の好適な実施例に基づいて以下に説明する。
【００１３】
先ず，図１〜図４において，ケース付きキー１は，平面視で長方形をなす偏平なケース２と，このケース２に支持されてケース２に格納される格納位置Ａ（図３参照），及びケース２から先端部を突出させる使用位置Ｂ（図１及び図４参照）間を移動可能なキー３とを備える。ケース２は偏平方向に二分割され，その一方をケース本体２ａ，他方をケース蓋体２ｂと呼ぶ。ケース本体２ａ及びケース蓋体２ｂは合成樹脂製であり，ケース本体２ａの側壁には，複数の係止孔４，４…が設けられ，これら係止孔４，４…に，ケース蓋体２ｂに形成された複数の係止爪５，５…を弾性的に係合することで，ケース本体２ａ及びケース蓋体２ｂは互いに結合される。
【００１４】
ケース本体２ａ及びケース蓋体２ｂの長手方向一端部には，相互に連通するストラップ接続孔６ａ，６ｂが設けられる。以後，ケース２において，ストラップ接続孔６ａ，６ｂ側を後，それと反対側を前と言うことにする。
【００１５】
図１及び図３に示すように，ケース本体２ａの前端壁には，切欠き状のキー出口７が形成され，更にケース本体２ａの内側にキー案内溝８が形成され，キー３は，このキー案内溝８に誘導され，キー出口７を通してケース２から出没するようになっている。
【００１６】
キー３には，その出没を操作する操作部材１０が一体的に形成される。この操作部材１０は，キー３の連結孔１１に圧入されるボス１０ａと，このボス１０ａの一端に形成されてキー３の移動方向と直交する方向に延びるばね接続アーム１０ｂと，このばね接続アーム１０ｂの上面中心部から突出する長円形の指掛け部１０ｃとからなっており，指掛け部１０ｃの端面には，滑り止め用の突起１２，１２…群が形成される。この指掛け部１０ｃは，ケース蓋体２ｂに形成されてその長手方向に延びる案内スロット１３に摺動可能に係合され，指掛け部１０ｃが案内スロット１３の後端壁に当接することによりキー３の前記格納位置Ａが規定され，案内スロット１３の前端壁に当接することによりキー３の前記使用位置Ｂが規定される。ケース蓋体２ｂの外面には，上記指掛け部１０ｃを受容する比較的浅い凹溝２６が形成される。
【００１７】
図１に示すように，上記ばね接続アーム１０ｂの両端部に対応して，ケース本体２ａ内の後部に一対のばね接続突起１５，１５が形成され，ばね接続アーム１０ｂの両端部と，ばね接続突起１５，１５との間には，引っ張りコイルばねよりなる一対の戻しばね１６，１６が接続され，これら戻しばね１６，１６の収縮力により，キー３は前記格納位置Ａ側に付勢される。一対の戻しばね１６，１６は，キー３を挟むようにして配置される。
【００１８】
図５に明示するように，前記操作部材１０のボス１０ａには，その下面に開口する支持孔１８が設けられており，この支持孔１８にロックピストン１９が摺動自在に嵌合される。このロックピストン１９は，その先端部を支持孔１８外方に突出させるロック位置Ｃと，全体を支持孔１８に収める退去位置Ｄ（図３参照）との間を摺動するようになっており，これをロック位置Ｃに向かって付勢するロックばね２０が支持孔１８に縮設される。
【００１９】
一方，ケース本体２ａには，キー３が前記使用位置Ｂに来たとき，ロックピストン１９のロック位置Ｃへの突出を許容して，そのロックピストン１９と係合するロック孔２２が設けられる。このロック孔２２は，ケース本体２ａの内面に開口する大径孔２２ａと，ケース本体２ａの外面に開口する小径孔２２ｂとを偏心状態に連ねて構成され，ロックピストン１９は，その大径孔２２ａに係合して，キー３を使用位置Ｂに保持する。
【００２０】
ロック孔２２には，その内周形状に対応した外周形状を有するレリーズボタン２３が摺動可能且つ回転不能に嵌合される。このレリーズボタン２３は，大径孔２２ａに係合したロックピストン１９を前記退去位置Ｄに押し込むようにキー３の側面に当接するロック解除位置Ｅと，ロックピストン１９の大径孔２２ａへの係合を許容するロック許容位置Ｆとの間を摺動し，且つそのロック解除位置Ｅではケース本体２ａの外面と面一もしくはその外面下に沈む状態となり，ロック許容位置Ｆではケース本体２ａの外面から突出するようになっている。そして，そのロック解除位置Ｅに向かってレリーズボタン２３を付勢する補助ばね２４がロック孔２２に収容される。この補助ばね２４のセット荷重は，前記ロックばね２０のそれより小さく設定される。
【００２１】
レリーズボタン２３及びロックピストン１９の対向面の何れか一方又は両方には，キー３が格納位置Ａから使用位置Ｂへと移行するとき，ロックピストン１９のレリーズボタン２３上への乗り上げを誘導する斜面２５が形成される。
【００２２】
再び図１において，ケース本体２ａには，図示しないマグネットキーを解錠するための識別マグネット２８が内装され，それを覆う封緘シート２９がケース本体２ａに接着される。
【００２３】
次に，この実施例の作用について説明する。
【００２４】
図３に示すように，ロックピストン１９がロック孔２２に係合していないときは，キー３は，戻しばね１６，１６の引っ張り力によりケース２内に引き込まれ，操作部材１０の指掛け部１０ｃが案内スロット１３の後端壁に当接する格納位置Ａに保持される。このとき，レリーズボタン２３は，補助ばね２４の付勢力により，キー３の側面に当接するロック解除位置Ｅに保持されるので，レリーズボタン２３の外端面はケース２の外面と面一もしくはその外面下に沈む状態なる。したがって，レリーズボタン２３は，ケース２からの突出部とはならないので，使用者はこのケース付きキー１を着衣のポケット等にスムーズに収めることができ，その取り扱いが容易となる。また，ケース２の外面には，操作部材１０の指掛け部１０ｃを受容する凹溝２６が形成されるので，操作部材１０もケース２からの突出部を形成せず，これによって，ケース付きキー１の取り扱いが一層容易となる。
【００２５】
キー３を使用するには，指掛け部１０ｃに指を当てゝ，これを案内スロット１３に沿って前方に摺動させ，戻しばね１６，１６の引っ張り力に抗してキー３をケース２前方へ突出させていく。そして，キー３が，指掛け部１０ｃが案内スロット１３の前端壁に当接する使用位置Ｂに到達すると，キー３と共に移動したロックピストン１９がケース２のロック孔２２の大径孔２２ａとの対向位置を占めるので，ロックピストン１９は，ロックばね２０の付勢力をもって，レリーズボタン２３をロック許容位置Ｆへ押しやりながら，ロック孔２２の大径孔２２ａに係合し，これによりキー３を使用位置Ｂに自動的に保持することができる。
【００２６】
このとき，レリーズボタン２３及びロックピストン１９の対向面の少なくとも一方には，キー３が使用位置Ｂへと移行するとき，ロックピストン１９のレリーズボタン２３上への乗り上げを誘導する斜面２５が形成されるので，ロックピストン１９は，レリーズボタン２３の側面に衝突することなく，スムーズにレリーズボタン２３上に乗り上げ，これをロック許容位置Ｆへ確実に押し込むことができる。
【００２７】
また，レリーズボタン２３をロック解除位置Ｅに向かって押圧する補助ばね２４のセット荷重は，ロックばね２０のそれより小さく設定されているため，補助ばね２４は，ロックピストン１９のロックばね２０の付勢力によりロック位置Ｃへの作動を妨げない。
【００２８】
キー３の使用位置Ｂでは，レリーズボタン２３は，その外端面をケース２の外面より突出させるので，その突出部を押圧すれば，レリーズボタン２３がロックピストン１９をロックばね２０の付勢力に抗して退去位置Ｄへ後退させることになり，その結果，キー３は，戻しばね１６，１６の引っ張り力により初期の格納位置Ａへと戻ることができる。
【００２９】
ところで，ロックピストン１９を摺動自在に支持する支持孔１８は，操作部材１０に形成されるので，操作部材１０がロックピストン１９の支持部材を兼ねることになり，構造の簡素化を図ることができる。またロックピストン１９は，支持孔１８に単に嵌合するのみで，その組み付けが完了するので，枢軸の使用は不要であり，組立性が良好である。
【００３０】
本発明は上記実施例に限定されるものではなく，その要旨を逸脱しない範囲で種々の設計変更が可能である。例えば，戻しばね１６は，これを一本として，ケース２のスリム化を図ることもできる。
【符号の説明】
【００３１】
Ａ・・・・キーの格納位置
Ｂ・・・・キーの使用位置
Ｃ・・・・ロックピストンのロック位置
Ｄ・・・・ロックピストンの退去位置
Ｅ・・・・レリーズボタンのロック解除位置
Ｆ・・・・レリーズボタンのロック許容位置
１・・・・ケース付きキー
２・・・・ケース
３・・・・キー
１０・・・操作部材
１０ｃ・・指掛け部
１３・・・案内スロット
１６・・・戻しばね
１８・・・支持孔
１９・・・ロックピストン
２０・・・ロックばね
２２・・・ロック孔
１３・・・レリーズボタン
２４・・・補助ばね
２５・・・斜面
【図１】
2010196372.tif 000003
【図２】
2010196372.tif 000004
【図３】
2010196372.tif 000005
【図４】
2010196372.tif 000006
【図５】
2010196372.tif 000007